【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
睡眠セッションの間の個々の期間について被験体における睡眠段階指標を決定するシステムであって、前記システムは、
前記被験体の心臓活動及び呼吸活動を含む心肺活動に関連する情報を伝達する出力信号を生成する１つ以上のセンサと、
第１の期間についての第１の睡眠段階指標が、前記第１の期間について決定された第１の心肺活動パラメータ及び第２の心肺活動パラメータと、複数の個々の期間にわたる前記第１の心肺活動パラメータと前記第２の心肺活動パラメータとの間の関係とに基づき決定され、
第２の期間についての第２の睡眠段階指標が、前記第２の期間について決定された前記第１の心肺活動パラメータ及び前記第２の心肺活動パラメータと、複数の個々の期間にわたる前記第１の心肺活動パラメータと前記第２の心肺活動パラメータとの間の前記関係と、前記第１の睡眠段階指標とに基づき決定されることとなるように、
コンピュータ可読命令により、
前記出力信号に基づき前記被験体の１つ以上の心肺活動パラメータを決定することであって、前記１つ以上の心肺活動パラメータは、前記被験体の心臓及び呼吸器の自律神経系間のカップリングの強度を示す心肺カップリングパラメータを含み、前記１つ以上の心肺活動パラメータを決定することは、（ａ）前記第１の期間について前記第１の心肺活動パラメータ及び前記第２の心肺活動パラメータを決定し且つ（ｂ）前記第２の期間について前記第１の心肺活動パラメータ及び前記第２の心肺活動パラメータを決定することを含む、前記１つ以上の心肺活動パラメータを決定することと、
前記被験体の前記１つ以上の心肺活動パラメータ間の１つ以上の関係を決定することであって、前記１つ以上の関係は前記心肺カップリングパラメータ間の関係を含み、前記１つ以上の関係を決定することは、複数の個々の期間について前記第１の心肺活動パラメータと前記第２の心肺活動パラメータとの間の前記関係を決定することを含む、前記１つ以上の関係を決定することと、
決定された前記１つ以上の関係と決定された前記１つ以上の心肺活動パラメータとに基づき前記個々の期間について前記被験体の睡眠段階を示す睡眠段階指標を決定することとを行う、
１つ以上の物理的コンピュータプロセッサと
を含む、システム。
【請求項２】
前記１つ以上の物理的コンピュータプロセッサは、前記睡眠段階指標が個々の期間について前記被験体が１つ以上の考え得る睡眠段階にある確率を示す確率指標であることとなるように構成されている、請求項１に記載のシステム。
【請求項３】
前記１つ以上の物理的コンピュータプロセッサが、条件付き確率場を用いて前記睡眠段階指標を決定する、請求項１に記載のシステム。
【請求項４】
前記１つ以上の物理的コンピュータプロセッサは、前記睡眠段階指標が前記被験体における睡眠段階間の遷移を示すこととなるように構成されている、請求項１に記載のシステム。
【請求項５】
決定システムを用いて睡眠セッションの間の個々の期間について被験体における睡眠段階指標を決定するための方法であって、前記決定システムは、１つ以上のセンサと１つ以上の物理的コンピュータプロセッサとを含み、前記方法は、
前記１つ以上のセンサを用いて前記被験体の心臓活動及び呼吸活動を含む心肺活動に関連する情報を伝達する出力信号を生成するステップと、
第１の期間についての第１の睡眠段階指標が、前記第１の期間について決定された第１の心肺活動パラメータ及び第２の心肺活動パラメータと、複数の個々の期間にわたる前記第１の心肺活動パラメータと前記第２の心肺活動パラメータとの間の関係とに基づき決定され、
第２の期間についての第２の睡眠段階指標が、前記第２の期間について決定された前記第１の心肺活動パラメータ及び前記第２の心肺活動パラメータと、複数の個々の期間にわたる前記第１の心肺活動パラメータと前記第２の心肺活動パラメータとの間の前記関係と、前記第１の睡眠段階指標とに基づき決定されることとなるように、
前記１つ以上の物理的コンピュータプロセッサを用いて、前記出力信号に基づき前記被験体の１つ以上の心肺活動パラメータを決定するステップであって、前記１つ以上の心肺活動パラメータは、前記被験体の心臓及び呼吸器の自律神経系間のカップリングの強度を示す心肺カップリングパラメータを含み、前記１つ以上の心肺活動パラメータを決定するステップは、（ａ）前記第１の期間について前記第１の心肺活動パラメータ及び前記第２の心肺活動パラメータを決定し且つ（ｂ）前記第２の期間について前記第１の心肺活動パラメータ及び前記第２の心肺活動パラメータを決定するステップを含む、前記１つ以上の心肺活動パラメータを決定するステップと、
前記１つ以上の物理的コンピュータプロセッサを用いて、前記被験体の前記１つ以上の心肺活動パラメータ間の１つ以上の関係を決定するステップであって、前記１つ以上の関係は前記心肺カップリングパラメータ間の関係を含み、前記１つ以上の関係を決定するステップは、複数の個々の期間について前記第１の心肺活動パラメータと前記第２の心肺活動パラメータとの間の前記関係を決定するステップを含む、前記１つ以上の関係を決定するステップと、
前記１つ以上の物理的コンピュータプロセッサを用いて、決定された前記１つ以上の関係と決定された前記１つ以上の心肺活動パラメータとに基づき前記個々の期間について前記被験体の睡眠段階を示す睡眠段階指標を決定するステップと
を含む、方法。
【請求項６】
前記睡眠段階指標が、個々の期間について前記被験体が１つ以上の考え得る睡眠段階にある確率を示す確率指標である、請求項５に記載の方法。
【請求項７】
前記睡眠段階指標が、条件付き確率場を用いて決定される、請求項５に記載の方法。
【請求項８】
前記睡眠段階指標が、前記被験体における睡眠段階間の遷移を示す、請求項５に記載の方法。
【請求項９】
睡眠セッションの間の個々の期間について被験体における睡眠段階指標を決定するシステムであって、前記システムは、
前記被験体の心臓活動及び呼吸活動を含む心肺活動に関連する情報を伝達する出力信号を生成するための手段と、
第１の期間についての第１の睡眠段階指標が、前記第１の期間について決定された第１の心肺活動パラメータ及び第２の心肺活動パラメータと、複数の個々の期間にわたる前記第１の心肺活動パラメータと前記第２の心肺活動パラメータとの間の関係とに基づき決定され、
第２の期間についての第２の睡眠段階指標が、前記第２の期間について決定された前記第１の心肺活動パラメータ及び前記第２の心肺活動パラメータと、複数の個々の期間にわたる前記第１の心肺活動パラメータと前記第２の心肺活動パラメータとの間の前記関係と、前記第１の睡眠段階指標とに基づき決定されることとなるように、
前記出力信号に基づき前記被験体の１つ以上の心肺活動パラメータを決定するための手段であって、前記１つ以上の心肺活動パラメータは、前記被験体の心臓及び呼吸器の自律神経系間のカップリングの強度を示す心肺カップリングパラメータを含み、前記１つ以上の心肺活動パラメータを決定することは、（ａ）前記第１の期間について前記第１の心肺活動パラメータ及び前記第２の心肺活動パラメータを決定し且つ（ｂ）前記第２の期間について前記第１の心肺活動パラメータ及び前記第２の心肺活動パラメータを決定することを含む、前記１つ以上の心肺活動パラメータを決定するための手段と、
前記被験体の前記１つ以上の心肺活動パラメータ間の１つ以上の関係を決定するための手段であって、前記１つ以上の関係は前記心肺カップリングパラメータ間の関係を含み、前記１つ以上の関係を決定することは、複数の個々の期間について前記第１の心肺活動パラメータと前記第２の心肺活動パラメータとの間の前記関係を決定することを含む、前記１つ以上の関係を決定するための手段と、
決定された前記１つ以上の関係と決定された前記１つ以上の心肺活動パラメータとに基づき前記個々の期間について前記被験体の睡眠段階を示す睡眠段階指標を決定するための手段と
を含む、システム。
【請求項１０】
前記睡眠段階指標が、個々の期間について前記被験体が１つ以上の考え得る睡眠段階にある確率を示す確率指標である、請求項９に記載のシステム。
【請求項１１】
前記睡眠段階指標が、条件付き確率場を用いて決定される、請求項９に記載のシステム。
【請求項１２】
前記睡眠段階指標が、前記被験体における睡眠段階間の遷移を示す、請求項９に記載のシステム。